(57)【要約】      （修正有）【課題】ソファーベッドの屈曲乃至展開に用いられる改良された起伏構造を提供する。【解決手段】ソファーベッドの起伏構造は、マット部に座枠１と背もたれ枠２と中間枠３とを変位可能に設けておき、一対の起伏リンク部材Ｌ１，Ｌ２と連動リンク部材Ｌ３を用いて、前記座枠と背もたれ枠と中間枠とが水平に展開するベッドの姿勢と、屈曲するソファー姿勢とに変位させるようにし、前記起伏リンク部材と固定枠４との間に付勢スプリングＳを張設したので、展開乃至屈曲姿勢への操作をスムーズに行うことができる。また、ソファー姿勢に変形させる場合、従来は座部はベッド姿勢と同じ水平姿勢に固定されていたが、座部をやや後傾した傾斜姿勢に変位させることもできる。【選択図】図１
0003174615.tif 000002
【実用新案登録請求の範囲】
【請求項１】
ソファーベッドの基台に固定される固定枠と、
該基台上に支持されてベッドとソファーに変形可能なマット部に形成されて、ソファー変形時に座部となる座枠と、ソファー変形時に背もたれ部となる背もたれ枠と、前記座枠と背もたれ枠の間に介設されて一端側が第１枢軸で座枠に枢着され、他端側が第２枢軸で背もたれ枠に枢着される中間枠とを設け、
前記固定枠の座枠寄りの固定枠に下端が枢着され上端が座枠に枢着される第１起伏リンク部材と、前記固定枠の背もたれ枠寄りの固定枠に下端が枢着され上端が背もたれ枠に枢着される第２起伏リンク部材と、前記固定枠と背もたれ枠との間に枢着される連動リンク部材と、
前記固定枠の背もたれ側と前記第１起伏リンクの間に介設された付勢ばねとからなることを特徴とするソファーベッドの起伏構造。
【請求項２】
第１起伏リンク部材の座枠との枢着位置と、連動リンク部材の座枠との枢着位置とが同一位置に設定されており、
第２起伏リンク部材の背もたれ枠との枢着位置と、背もたれ枠と中間枠との枢着位置とが同一位置に設定されていることを特徴とする請求項１に記載のソファーベッドの起伏構造。
【請求項３】
固定枠が、背もたれ枠から座枠方向に略直線状に延びる横枠部と、該下部固定枠の背もたれ枠側で起立する縦枠部とからなっており、
横枠部の先端側に第１起伏リンク部材の下端が枢着されており、縦枠部の上部に第２起伏リンク部材の下端が枢着されていることを特徴とする請求項１又は２に記載のソファーベッドの起伏構造。
【請求項４】
座枠に、ソファー変形時に中間枠と衝合して中間枠のソファー変形方向の動きを拘束する屈曲ストッパ片が形成されており、
背もたれ枠に、ベッド変形時に中間枠と衝合して中間枠のベッド変形方向の動きを拘束するする展開ストッパ片が形成されていることを特徴とする請求項１から３のいずれかに記載のソファーベッドの起伏構造。
【考案の詳細な説明】
【技術分野】
【０００１】
本考案はソファーベッドの屈曲乃至展開に用いられる起伏構造の改良に関する。
【背景技術】
【０００２】
ソファーベッドの起伏構造として、従来、例えば実用新案登録第３１４９１８０号の起伏装置では、ソファー状態において座部を形成する固定枠と、同状態において背凭れ部を形成する起伏枠と、固定枠と起伏部との間に配置される中間枠とを少なくとも備えるソファーベッドに用いる起伏装置であって、固定枠に固定される第１ブラケットと、起伏枠に固定される第２ブラケットと、中間枠に固定される第３ブラケットと、起伏する方向に回動した第２ブラケットに形成された係止ピンに係止して前記回動した角度を保持する係止部材と、第１ブラケットと第２ブラケットを連結する中間部材とを有し、前記中間部材の一端は第１ブラケットに対して枢支ピンで枢着されて回動可能に取り付けられ、中間部材の他端は第２ブラケットに対して枢着ピンで枢着されて回動可能に取り付けられ、中間部材は一端と他端の間である中間部分において第３ブラケットに固定されている構成が開示されている。
【０００３】
同様に、実公平６−３１９６９号の起伏装置では、ベッド形態での床枠部が本体枠と起伏主枠とこれらの中間に位置した起伏副枠とに分割され、上記本体枠と起伏主枠の一方に係止ピンを備えた第１ブラケットが固着されると共に他方に第２ブラケットが固着され、上記係止ピンに係合する複数段の係合部を長手方向に沿って有する姿勢変換レバーの一端側に、起伏副枠に固着された第３ブラケットが一端部で枢着連結され、且つ該第３ブラケットは他端部で第２ブラケットに枢着連結されると共に上記一端よりも高位置の中間部で第１ブラケットに枢着連結され、更に一端が第１ブラケットの第３ブラケット連結部よりも低位置に枢着して他端が第２ブラケットの第３ブラケット連結部よりも高位置に枢着した連結リンクと、上記姿勢変換レバーを係止ピンとの係合側に付勢するばね部材とを具備した構成が開示されている。
【０００４】
しかし、いずれの構成も座部を形成する枠部は水平姿勢でベースに固定されているため変位することがなく、中間の枠部を介して背もたれ部の枠部を変位させ座部の枠部で支持する構成となっており、座部の枠に負荷がかかると共に、変位した状態を維持するための係止手段も強度上大型化を余儀なくされていた。
また、付勢ばねも座部の枠部と中間の枠部との間に介設しているため、背もたれ部の枠部の変位に大きな付勢力を及ぼすことができなかった。
【先行技術文献】
【特許文献】
【０００５】
【特許文献１】実用新案登録第３１４９１８０号公報
【特許文献１】実公平６−３１９６９号公報
【考案の概要】
【考案が解決しようとする課題】
【０００６】
この考案の解決しようとする問題点は、簡単な構成でありながら、座部をベースに固定することなく、リンク機構を用いて座部と中間部と背もたれ部をベッドとして用いる水平姿勢と、ソファーとして用いる屈曲姿勢に起伏でき、上記起伏動作を付勢バネを用いて手軽に行うことができるようにしたソファーベッドの起伏構造を提供することにある。
【課題を解決するための手段】
【０００７】
この考案は、ソファーベッドの基台に固定される固定枠と、該基台上に支持されてベッドとソファーに変形可能なマット部に形成されて、ソファー変形時に座部となる座枠と、ソファー変形時に背もたれ部となる背もたれ枠と、前記座枠と背もたれ枠の間に介設されて一端側が第１枢軸で座枠に枢着され、他端側が第２枢軸で背もたれ枠に枢着される中間枠とを設け、
前記固定枠の座枠寄りの固定枠に下端が枢着され上端が座枠に枢着される第１起伏リンク部材と、前記固定枠の背もたれ枠寄りの固定枠に下端が枢着され上端が背もたれ枠に枢着される第２起伏リンク部材と、前記固定枠と背もたれ枠との間に枢着される連動リンク部材とを備え、
前記固定枠の背もたれ側と前記第１起伏リンクの間に付勢ばねを介設してなることを特徴とする。
【考案の効果】
【０００８】
この考案のソファーベッドの起伏構造は、マット部に座枠と背もたれ枠と中間枠とを変位可能に設けておき、一対の起伏リンク部材と連動リンク部材を用いて、前記座枠と背もたれ枠と中間枠とが水平に展開するベッドの姿勢と、屈曲するソファー姿勢とに変位させるようにし、前記起伏リンク部材と固定枠との間に付勢スプリングを張設したので、展開乃至屈曲姿勢への操作をスムーズに行うことができる。
また、ソファー姿勢に変形させる場合、従来は座部はベッド姿勢と同じ水平姿勢に固定されていたが、座部をやや後傾した傾斜姿勢に変位させることもできる。
【図面の簡単な説明】
【０００９】
【図１】展開したベッド状態を示すソファーベッドの起伏構造の側面図である。
【図２】ベッドとソファーの中間状態を示すソファーベッドの起伏構造の側面図である。
【図３】屈曲したソファー状態を示すソファーベッドの起伏構造の側面図である。
【図４】同平面図である。
【図５】ベッド状態と中間状態を示すソファーベッドの模式図である。
【図６】ソファー状態とベッド状態を示すソファーベッドの模式図である。
【考案を実施するための形態】
【００１０】
マット部に座枠と中間枠と背もたれ枠を順次枢着し、基台に固定された固定枠と前記座枠及び背もたれ枠にそれぞれ起伏リンク部材を枢着し、座枠と背もたれ枠との間には連動リンク部材を枢着しておき、前記リンク部材の枢動によりマット部をベッド状態の展開姿勢と、ソファー状態の屈曲姿勢に変位させ、一方の起伏リンク部材と固定枠との間に付勢バネを設けて起伏操作力の軽減を実現した。
以下に、この考案のソファーベッドの起伏構造の好適実施例について説明する。
【実施例１】
【００１１】
［ソファーベッド］
図１は、ベッド状態の展開姿勢、図２は起伏動作の中間姿勢、図３はソファ状態の屈曲姿勢を示す起伏構造である。
このソファーベッドの起伏構造１が用いられるソファーベッドは、床面に載置される基台Ａと、該基台Ａ上に支持されてベッドとソファーに変形可能なマット部Ｂとから構成される（図５〜６参照）。
【００１２】
［起伏構造］
また、起伏構造は、本実施例の場合、マット部Ｂに内蔵されたブラケット状の座枠１と中間枠３と背もたれ枠２と、基台Ａ内に固定される固定枠４と、固定枠４と座枠１とを枢動可能に連結する第１起伏リンク部材Ｌ１と、固定枠４と背もたれ枠２とを枢動可能に連結する第２起伏リンク部材Ｌ２と、座枠１と背もたれ枠２とを枢動可能に連結する連動リンク部材Ｌ３と、前記固定枠４と第１起伏リンク部材Ｌ１との間に掛け渡されたコイルスクリングＳとからなる金属製のスライドギア１０を用いている。
【００１３】
［マット部］
前記マット部Ｂには、マット部Ｂ内で長手方向に延びてマット部Ｂを座部と中間部と背もたれ部とに分けて変形させる３つに分離された木枠（図示せず）が内蔵されている。
【００１４】
［座枠］
前記座枠１は、略矩形で断面アングル状の金属ブラケットからなり、起立する本体片１１の下端が直角に折れ曲がって底壁面１２となっており、該底壁面１２にはネジ穴（図示省略）が設けられている。
そして、ソファー変形時に座部となる個所に設けられた基枠を底壁面１２上に掛け止めてネジ等で固定することができる。
【００１５】
［背もたれ枠］
前記背もたれ枠２は、略矩形で断面アングル状の金属ブラケットからなり、起立する本体片２１下端が直角に折れ曲がって底壁面２２となっており、該底壁面２２にはネジ穴（図示省略）が設けられている。
そして、ソファー変形時に背もたれ部となる個所に設けられた基枠を底壁面２２上に掛け止めてネジ等で固定することができる。
【００１６】
［中間枠］
前記中間枠３は、略平行四辺形で断面アングル状の金属ブラケットからなり、起立する本体片３１の下端が直角に折れ曲がって底壁面３２となっており、該底壁面３２にはネジ穴（図示省略）が設けられている。
そして、ソファー変形時に座部と背もたれ部の中間となる個所に設けられた基枠を底壁面３２上に掛け止めてネジ等で固定することができる。
【００１７】
前記座枠１は、背もたれ枠２方向寄りの上部で、中間枠３の端部側と第１枢軸Ｐ１により枢着されている。
また、中間枠３は背もたれ枠２方向寄りの下部で、背もたれ枠２の下部と第２枢軸Ｐ２により枢着されている。
なお、前記本体片１１、２１、３１にもネジ穴を形成しておき、各木枠の当接した個所をネジ等で固定してもよい。
図示例では、一例として座枠１と背もたれ枠３とにネジ穴を設けている。
【００１８】
［固定枠］
固定枠４は、座枠１から背もたれ枠２方向に略直線状に延びる横枠部４１と、該横枠部４１の背もたれ枠２側で起立する縦枠部４２とを有する略Ｌ字状の金属プレートからなっている。
図示例では、横枠部４１と縦枠部４２に、それぞれ基台Ａの壁面に固定するためのネジ穴が適宜に穿設されている。
【００１９】
［第１起伏リンク部材］
前記固定枠４の横枠部４１と座枠１との間には第１起伏リンク部材Ｌ１が枢動可能に連結されている。
即ち、第１起伏リンク部材Ｌ１は、前記固定枠４の横枠部４１の座枠１寄りに下端が第５枢軸Ｐ５により枢着されており、上端が座枠１の背もたれ枠３側の端部寄りの下部に第３枢軸３により枢着されている。
【００２０】
［第２起伏リンク部材］
前記固定枠４の縦枠部４２と背もたれ枠２との間には第２起伏リンク部材Ｌ２が枢動可能に連結されている。
即ち、第２起伏リンク部材Ｌ１は、前記固定枠４の縦枠部４２の上部に下端が第６枢軸Ｐ６により枢着されており、上端が背もたれ枠３の座枠１寄りの下部に枢着されている。
本実施例では、上記枢着位置は、前記第２枢軸Ｐ２と同軸に枢着されている。
【００２１】
［連動リンク部材］
前記固定枠１と背もたれ枠２との間に連動リンク部材Ｌ３が枢動可能に連結されている。
本実施例では、連動リンク部材Ｌ３と固定枠１との枢着は、前記第３枢軸と同軸に枢着されている。
また、連動リンク部材Ｌ３と背もたれ枠２との枢着は、前記第２枢軸Ｐ２に対応して離間し、ベッド状態の展開姿勢で第２枢軸のほぼ真上位置になるように第４枢軸Ｐ４で枢着されている。
【００２２】
［コイルスプリング］
本実施例では、付勢バネとしてコイルスプリングＳを用いており、該コイルスプリングＳは、一端が固定枠４の縦枠部４２の下方寄りの位置に掛け止められ、他端が第１起伏リンク部材Ｌ１の中間位置に掛け止められている。
これにより、コイルスプリングＳは、ベッド状態の展開姿勢で最も伸張して反発力を最も高め、ソファ状態の屈曲姿勢で短縮して反発力を弱めるようになっているので、ベッド状態からソファー状態に変位する際に付勢力が大きく作用するので、操作をスムーズに行うことができる。
【００２３】
［ストッパ片］
座枠１には、ソファー変形時に中間枠３の座枠寄りの端部と衝合して中間枠３のソファー変形方向の動きを拘束する展開ストッパ片１３が形成されている、
同様に、背もたれ枠２には、ベッド変形時に背もたれ枠２寄りの中間枠３と衝合して中間枠３のベッド変形方向の動きを拘束するする屈曲ストッパ片２３が形成されている。
これにより、ベッド状態及びソファー状態において、マットを各姿勢に維持することができる。
本実施例では、各ストッパ片１３、２３は、本体片１１、１２を所定位置で切り起こして形成しているので、特別の部材を取り付ける必要がなく簡便である。
【００２４】
図５には、ベッド状態の展開姿勢からソファ状態の屈曲姿勢に向う中間状態の各枠とリンク部材の動きを模式的に示し、図６にはベッド状態の展開姿勢とソファ状態の屈曲姿勢の各枠とリンク部材の動きを模式的に示した。
ベッド状態の展開姿勢において、第１リンク部材Ｌ１に対して第２リンク部材Ｌ２の傾斜角度を大きく設定して、且つ下端を上方位置に配置しており、連動リンク部材Ｌ３を一端が第１リンク部材Ｌ１の上端の枢着位置（Ｐ３）とし他端を第２リンク部材Ｌ２の上端の枢着位置（Ｐ２）の上方離間位置で枢着（Ｐ４）しており、各枠１、２、３は前述のように第１枢軸Ｐ１、第２枢軸Ｐ２で枢着しているので図示のような変位、変形をすることができる。
これにより、従来固定位置にあった座枠１をスライドして変位することができ、且つ座枠１を後方の背もたれ枠２側を前方よりも低い傾斜姿勢に保持することができる。
【００２５】
この考案は上記実施例の構成に限定されるものではなく、要するにこの考案の要旨を変更しない範囲で種々設計変更をすることができる。
【符号の説明】
【００２６】
Ａ    基台
Ｂ    マット部
１    座枠
２    背もたれ枠
３    中間枠
４    固定枠
１０    スライドギア
１１    本体片
１２    底壁面
１３    展開ストッパ片
２１    本体片
２２    底壁面
２３    屈曲ストッパ片
３１    本体片
３２    底壁面
【図１】
0003174615.tif 000003
【図２】
0003174615.tif 000004
【図３】
0003174615.tif 000005
【図４】
0003174615.tif 000006
【図５】
0003174615.tif 000007
【図６】
0003174615.tif 000008